(57)【要約】【課題】輸液のための流路の接続を行う際に、作業者がキャップを強い力で接続具に取り付けようとした場合であっても、適正な力で接続具に螺着させることができる接続具用キャップを提供する。【解決手段】本発明のキャップ１は、三方活栓等の接続具に接続される本体３と、本体３の円筒部１２に回動自在の回動部材４と、これらに挟持されるゴム栓５とを備える。本体３は、接続具の雄ネジ部に螺着される雌ネジ部８、液体通路６を形成する雄ルアー部６、小径部１３及び大径部１４を有する円筒部１２からなる。回動部材４は、外筒部１６と円板部１７と突出部１９からなる。ゴム栓５は大径部２２を有する。これらの部材間の摩擦力は、雌ネジ部８と接続具の雄ネジ部の螺着に必要な力としている。雌ネジ部８が確実に雄ネジ部に接続された後、それ以上の力で回動させると回動部材４が本体３の周囲を回動するので、必要以上の力で雌ネジ部８が螺着されない。【選択図】  図２
2007014598.tif 000002
【特許請求の範囲】
【請求項１】
輸液用の接続具に螺着されるキャップであって、
基端と先端との間で内部に液体を通過させる液体通路と、前記液体通路の基端側の周囲に設けられた雌ネジ部と、前記液体通路の一部を構成し先端側から順に内径が大径である大径部と小径である小径部とを有する円筒部とが一体に形成された本体と、
前記円筒部の外周に回動自在に装着される外筒部と、前記外筒部の先端側で中央に前記前記円筒部の大径部よりも小径の挿通孔が設けられた円板部とを有する回動部材と、
前記円筒部の小径部と前記回動部材の円板部との間に挟持され前記液体通路を液密に遮蔽するゴム栓とを備え、
前記本体に対して前記回動部材に回動力が加わった際、前記回動力が基準値以下のときは前記ゴム栓による摩擦力によって前記回動部材の回動が抑止され、前記回動力が前記基準値を越えたときは前記回動部材が回動するように前記ゴム栓が挟持され、
前記基準値は前記本体の雌ネジ部を前記接続具に螺着するために必要な力に設定されていることを特徴とする接続具用キャップ。
【請求項２】
前記円筒部の小径部は、先端側の内周縁が先端方向に向けて突出していることを特徴とする請求項１に記載の接続具用キャップ。
【請求項３】
前記回動部材の円板部は、その内面で前記挿通部の周囲から基端方向に向けて突出する突出部を有していることを特徴とする請求項１又は２に記載の接続具用キャップ。
【発明の詳細な説明】
【技術分野】
【０００１】
本発明は、医療用の三方活栓等の接続具に取り付けられるキャップに関する。
【背景技術】
【０００２】
従来、三方活栓等の輸液用接続具に装着されるキャップとしては、下記特許文献１に開示されたものが知られている。このような従来のキャップは、下記特許文献１のフロントページに図示されているように、接続具に螺着される雌ネジ部と接続具の液体通路に接続される雄ルアー部とが樹脂で一体に形成され、先端方向（接続具とは反対方向）にはゴム栓とこのゴム栓を覆う円筒部が取り付けられている。また、円筒部はシリンジ先端の雌ネジ部が螺着されるように形成され、ゴム栓はシリンジの雄ルアー部が差し込まれるようにスリットを有する構成となっている。
【０００３】
このような従来のキャップは、雌ネジ部の外周面を指で把持して三方活栓等の接続具の雄ネジ部に螺着する。その際、医療現場においてはこのような作業を急いで行う場合が多く、作業を急ぐあまり強い力でキャップを接続具に螺着することも少なくない。
【０００４】
ところが、三方活栓等の接続具やキャップ等の多くは樹脂でできており、大きさもさほど大きいものではないため強度的にはそれほど強いものではない。従って、これらを螺合する際にあまり力を入れすぎると接続具が破損するおそれもある。このように接続具が破損すると、当該破損した接続具を交換しなければならなくなるという不都合を生じる。また、前記キャップが前記接続具に必要以上に強く螺着されている場合は、その後接続具を取り外す際に取り外しにくくなり、取り外す際に接続具を破損させてしまうおそれもある。
【特許文献１】特表平８−５００９８３号公報（フロントページ）
【発明の開示】
【発明が解決しようとする課題】
【０００５】
本発明は、接続具用キャップの改良を目的とし、さらに詳しくは前記不都合を解消するために、輸液のための流路の接続を行う際に、作業者がキャップを強い力で接続具に取り付けようとした場合であっても、適正な力で接続具に螺着させることができる接続具用キャップを提供することを目的とする。
【課題を解決するための手段】
【０００６】
前記目的を達成するために、本発明の接続具用キャップは、輸液用の接続具に螺着されるキャップであって、基端と先端との間で内部に液体を通過させる液体通路と、前記液体通路の基端側の周囲に設けられた雌ネジ部と、前記液体通路の一部を構成し先端側から順に内径が大径である大径部と小径である小径部とを有する円筒部とが一体に形成された本体と、前記円筒部の外周に回動自在に装着される外筒部と、前記外筒部の先端側で中央に前記前記円筒部の大径部よりも小径の挿通孔が設けられた円板部とを有する回動部材と、前記円筒部の小径部と前記回動部材の円板部との間に挟持され前記液体通路を液密に遮蔽するゴム栓とを備え、前記本体に対して前記回動部材に回動力が加わった際、前記回動力が基準値以下のときは前記ゴム栓による摩擦力によって前記回動部材の回動が抑止され、前記回動力が前記基準値を越えたときは前記回動部材が回動するように前記ゴム栓が挟持され、前記基準値は前記本体の雌ネジ部を前記接続具に螺着するために必要な力に設定されていることを特徴とする。
【０００７】
本発明の接続具用キャップによれば、前記本体と前記回動部材とによって前記ゴム栓を挟持しており、前記本体に対して前記回動部材を回動させる際には前記ゴム栓との摩擦力によって抵抗力が生じている。本発明では、前記回動部材を回動させる力が前記本体の雌ネジ部を前記接続具に螺着するために必要な力である基準値以下のときは、前記回動部材は前記本体に対して回動しない。従って、前記回動部材を把持して前記本体の雌ネジ部を接続具に螺合させたときは、前記雌ネジ部が前記説属具に確実に螺着される。
【０００８】
また、使用者が前記基準値を超える力で前記回動部材を回動させたときは、回動力が前記本体及び回動部材と前記ゴム栓との摩擦力を上回るので、前記回動部材が前記本体に対して回動する。従って、前記本体の雌ネジ部は、必要以上の力で前記接続具に螺着されることがない。このため、前記接続具が破損するおそれが無く、本発明のキャップを接続具から取り外す際にも軽い力で取り外すことができる。
【０００９】
また、本発明の接続具用キャップにおいては、前記円筒部の小径部の先端側の内周縁が先端方向に向けて突出していることが好ましい。前記小径部の形状をこのような形状とすることにより、前記小径部の先端側の内周縁がゴム栓に食い込んだ状態となる。従って、前記ゴム栓に注射針等が差し込まれた場合であっても、ゴム栓が前記小径部と前記回動部材の円板部との間に確実に保持され、ゴム栓が本体内部に押し込まれることがない。
【００１０】
前記回動部材の円板部は、その内面で前記挿通部の周囲から基端方向に向けて突出する突出部を有していることが好ましい。このように前記挿通部の周囲に突出部を設けた場合は、当該突出部によって前記挿通の周囲の円板部が補強される。従って、前記円板部と前記円筒部の小径部との間で前記ゴム栓を挟持した際も前記円板部の変形が抑制され、確実に前記ゴム栓を所定の力で挟持することができる。
【発明を実施するための最良の形態】
【００１１】
次に、本発明の接続具用キャップの実施形態の一例について、図１及び図２を参照して説明する。
【００１２】
本発明の接続具用キャップ１は、図１に示すように、三方活栓２等の輸液用接続具に螺着されるキャップである。キャップ１は、ポリプロピレン製の本体３と回動部材４、及びブチルゴム製のゴム栓５とから構成される。図２を参照してその内部構成を見ると、中心部が液体通路６となっており、その基端側（三方活栓２に螺着される側）に向けて雄ルアー部７が設けられている。この雄ルアー部７の外周には、雄ルアー部７を囲むように円筒状の雌ネジ部８が設けられている。この雌ネジ部８の内周面には雌ねじが設けられており、三方活栓２の接続部９の先端に設けられている雄ネジ部１０に螺着できるように形成されている。また、雌ネジ部８の外周面には、外周方向に突出し、軸方向に延びる突条１１が設けられている。
【００１３】
また、本体３においては、雌ネジ部８から先端方向（三方活栓２から離反する方向）に向けて円筒状の円筒部１２が設けられている。この円筒部１２は、内径が小径である小径部１３と、大径である大径部１４とを有している。また、小径部１３の先端側の内周縁１３ａは先端側に向けて突出している。円筒部１２の外周面には、円周方向に突出する嵌合突起１５が設けられている。この本体３は、雄ルアー部７、雌ネジ部８及び円筒部１２が樹脂成形で一体に形成されている。
【００１４】
回動部材４は、図１に示すように、円筒状の外筒部１６と、外筒部１６の先端側に一体に設けられている円板部１７とを備えている。円板部１７には中央部に注射器の針（図示省略。以下同じ）が挿通可能な挿通孔１８を有しており、この挿通孔１８の内径は本体３の円筒部１２に設けられた大径部１４よりも小径となっている。また、この円板部１７は、図２に示すように、挿通孔１８の周囲の内周面に基端側に突出する突出部１９を有している。
【００１５】
また、外筒部１６の内周面には、本体３の円筒部１２の外周面に設けられた嵌合突起１５に嵌合する嵌合溝２０が設けられている。また、外筒部１６の外周面には、外周方向に突出し、軸方向に延びる突条２１が設けられている。
【００１６】
ゴム栓５は、図２に示すように軸方向中央が大径である大径部２２となっている。また、ゴム栓５の軸方向の端部は、大径部２２から円錐台状に突出すると共に、その端面が内側に凹入している。そして、ゴム栓５の先端側は回動部材４の挿通孔１８から外部に露出している。
【００１７】
本実施形態のキャップ１は、これら本体３、回動部材４及びゴム栓５により形成されている。これらの部材を組み立てる際は、本体３の円筒部１２の内部にゴム栓５を挿入し、その後回動部材４を円筒部１２にかぶせて基端方向に押し込めばよい。こうすることにより、円筒部１２の外周に設けられた嵌合突起１５と回動部材４の外筒部１６の内周面に設けられた嵌合溝２０とが嵌合し、回動部材４が本体３に対して回動自在に保持される。
【００１８】
これらが組み合わされた状態では、本体３の円筒部１２における小径部１３の先端縁１３ａと回動部材４の円板部１７に形成された突出部１９との間の幅がゴム栓５の大径部２２の軸方向の幅よりも狭くなっているため、本体３と回動部材４との間にゴム栓５の大径部２２が挟持された状態となる。このように、小径部１３と突出部１９との間でゴム栓５の大径部２２が挟持されると、本体３に対して回動部材４を回動させようとすると、両部材とゴム栓５との摩擦力により、回動部材４の回動が抑止される。そして、当該摩擦力を越えて回動部材４を回動させると、回動部材４は本体３に対して回動するようになる。
【００１９】
本実施形態では、回動部材４がゴム栓５との摩擦力を越えて本体３に対して回動し始める際の回動力を基準値として定め、この基準値を本体３の雌ネジ部８が三方活栓２等の接続具に適正に螺着されるために必要な値となるように調整している。数値としては、０．１９〜０．５０Ｎ・ｍが好ましく、適用される接続具の大きさによって適宜変更することが望ましい。本実施形態では、回動部材４の回動力を上記基準値とするために、ゴム栓５の堅さや、大径部２２の厚さ等を適宜調節している。従って、キャップ１の製造工程において、堅さや大径部２２の厚さの異なる複数のゴム栓５を予め準備しておけば、用途に応じてそのゴム栓５を変更するだけで様々な基準値を持ったキャップ１を容易に製造することができる。
【００２０】
次に、本実施形態のキャップ１を医療現場で用いる場合について説明する。医療現場においては、三方活栓２を用いて点滴用の薬液に注射器等から薬液を混合するというような作業が行われることが多い。例えば、図１に示す三方活栓２の左側の接続口に点滴用の薬液袋から延びるチューブを接続し、図１の右側の雄ルアー部を患者側に延びるチューブに接続する（図示省略）。そして、図１において中央に位置する接続部９にキャップ１を螺合させる。
【００２１】
このとき、使用者はキャップ１の回動部材４を把持し、キャップ１の雌ネジ部８を三方活栓２の接続部９に設けられた雄ネジ部１０に螺合させる。本実施形態のキャップ１では、回動部材４の外筒部１６の外径が、本体３の雌ネジ部８の外径よりも大きくなっているので、自然に回動部材４を把持して作業をすることができる。
【００２２】
使用者が回動部材４を把持して雌ネジ部８を雄ネジ部１０に螺合させると、これらが螺着されるのに必要な力が加わるまでは回動部材４が本体３に対して回動しないので、通常のキャップのように回動部材４を回動させることができる。このとき、回動部材４の外筒部１６の外周面には突条１１が設けられているので、使用者は手を滑らせることなく回動部材４を回動させることができる。
【００２３】
そして、雌ネジ部８と雄ネジ部１０の螺着に必要な力以上の力で回動部材４を回動させたときは、回動部材４が本体３に対して回動するので、それ以上雌ネジ部８と雄ネジ部１０とが強く螺着されることがない。このように、本実施形態のキャップ１は、両部材が確実に螺着されるのに必要な力で螺着されるので、確実にキャップ１を三方活栓２の接続部９に接続することができる。
【００２４】
また、本実施形態のキャップ１は、液体通路６がゴム栓５で塞がれているため、注射器の針をゴム栓５に刺すことにより、三方活栓２内に注射器内の薬液を注入することができる。このとき、ゴム栓５の大径部２２は円筒部１２の小径部１３の先端側の内周縁１３ａに食い込んでいるため、注射針の穿刺によって円筒部１２の内方まで押し込まれることはない。
【００２５】
そして、キャップ１を三方活栓２から取り外す必要があるときは、使用者は本体３の雌ネジ部８の外周部分を把持し、三方活栓２に対してキャップ１を取り外す方向に回動させる。このとき、キャップ１が三方活栓２に螺着される際にはこれらの結合に必要な力で螺着されており、それ以上の力では螺着されていないので、軽い力でキャップ１を取り外すことができる。また、雌ネジ部８の外周面にも突条２１が設けられているので、使用者は容易にキャップ１を回動させることができる。
【００２６】
以上のように、本実施形態のキャップ１は、三方活栓２等の接続具に螺着する際は必要な力のみで螺着させることができ、螺着を解除する際も軽い力で行うことができるので、三方活栓２等の接続具を破損させるおそれがない。
【００２７】
尚、上記実施形態では、本体３及び回動部材４をポリプロピレンにより形成しているが、これに限らず、他の合成樹脂を用いても良い。また、ゴム栓５はブチルゴム製であるが、他の弾性部材を用いてもよい。また、上記実施形態ではゴム栓５には大径部２２が設けられているが、当該構成に限らず、大径部を有しないような形状等、種々の形状のゴム栓を用いることができる。また、接続具についても三方活栓２には限られず、種々の接続具に接続させることができる。
【図面の簡単な説明】
【００２８】
【図１】本発明の実施形態の一例であるキャップと三方活栓とを示す説明図。
【図２】本実施形態のキャップを軸方向に切断した状態を示す断面図。
【符号の説明】
【００２９】
１…キャップ、２…三方活栓（接続具）、３…本体、４…回動部材、５…ゴム栓、６…液体通路、８…雌ネジ部、１２…円筒部、１３…小径部、１４…大径部、１６…外筒部、１７…円板部、１８…挿通孔。
【図１】
2007014598.tif 000003
【図２】
2007014598.tif 000004